(57)【要約】【課題】編糸の種類によって筒状編地の見栄えが損なわれることがないストライプ柄の筒状編地の編成方法を提供する。【解決手段】筒状編地１を裏返しの状態で編成するストライプ柄の筒状編地の編成方法において、各筒状ベース部２を編成する際、筒状ベース部２の一面側を構成する一側編目列２０を編成すると共に、その一側編目列２０の編幅方向の外側の位置に第一余剰編目列３０を編成する工程αと、筒状ベース部２の他面側を構成する他側編目列２１を編成すると共に、その他側編目列２１の編幅方向の外側の位置に第二余剰編目列３１を編成する工程βと、を交互に繰り返す。その繰り返しの際、一側編目列２０と第一余剰編目列３０とを繋ぐ編糸と、他側編目列２１と第二余剰編目列３１とを繋ぐ編糸と、を交差させる。【選択図】図３
2015200034.tif 000002
【特許請求の範囲】
【請求項１】
少なくとも前後一対の針床を備え、前後の針床間で編目の目移しが可能な横編機を用いて、色の異なる複数の筒状ベース部がウエール方向に並ぶことでストライプ柄が形成される筒状編地を裏返しの状態で編成するストライプ柄の筒状編地の編成方法において、
各筒状ベース部を編成する際、前記筒状ベース部の一面側を構成する一側編目列を編成すると共に、その一側編目列の編幅方向の外側の位置に第一余剰編目列を編成する工程αと、前記筒状ベース部の他面側を構成する他側編目列を編成すると共に、その他側編目列の編幅方向の外側の位置に第二余剰編目列を編成する工程βと、を交互に繰り返し、
その繰り返しの際、前記一側編目列と前記第一余剰編目列とを繋ぐ編糸と、前記他側編目列と前記第二余剰編目列とを繋ぐ編糸と、を交差させることで、前記一側編目列と前記他側編目列とを筒状に繋ぐと共に、前記筒状ベース部の編幅方向の外側に前記第一余剰編目列と前記第二余剰編目列とで構成される余剰編地部を編成するストライプ柄の筒状編地の編成方法。
【請求項２】
前記余剰編地部を袋編みによって編成する請求項１に記載のストライプ柄の筒状編地の編成方法。
【請求項３】
ウエール方向の離れた位置にある二つの筒状ベース部のうち、ウエール方向の下方にあるものを下方ベース部、上方にあるものを上方ベースとし、これら下方ベース部と上方ベース部との間にある筒状ベース部を中間ベース部としたとき、前記下方ベース部と前記上方ベース部とを共通の編糸で編成する場合、
前記下方ベース部の編幅方向の外側に形成される余剰編地部と前記上方ベース部の編幅方向の外側に形成される余剰編地部とを繋ぐ渡り糸を、前記中間ベース部の編幅方向の外側に形成される余剰編地部に編成によって接続する請求項１または請求項２に記載のストライプ柄の筒状編地の編成方法。
【発明の詳細な説明】
【技術分野】
【０００１】
本発明は、裏返しの状態で編成するストライプ柄の筒状編地の編成方法に関する。
【背景技術】
【０００２】
横編機を用いて、色の異なる複数の筒状ベース部がウエール方向に並ぶストライプ柄の筒状編地を編成する編成方法が知られている。例えば、特許文献１には、編糸ａを用いて筒状ベース部Ａを編成した後、編糸ｂに切り換えて筒状ベース部Ｂを編成し、再び編糸ａに切り換えて筒状ベース部Ｃを編成する際、筒状ベース部Ａから筒状ベース部Ｃに渡って伸びる編糸ａからなる渡り糸を、筒状ベース部Ｂの編目にタックするなどして、編糸の切り換え時の処理を簡素化する編成方法が開示されている。
【０００３】
また、特許文献１には、筒状編地を裏返しの状態で編成する編成方法、即ち使用時に筒状編地の内側となる面を筒の外側に向けて編成する編成方法が開示されている。編成が終わった筒状編地は裏返して使用する。筒状編地を裏返しの状態で編成することで、編成時の筒状編地の外側に配置されていた渡り糸を、使用時の筒状編地の内側に配置することができ、使用時の筒状編地の外側から渡り糸を見え難くすることができる。
【先行技術文献】
【特許文献】
【０００４】
【特許文献１】特開２００３−４１４６１号公報
【発明の概要】
【発明が解決しようとする課題】
【０００５】
しかし、使用時の筒状編地の内側に渡り糸を配置する編成方法であっても、編糸の素材や太さによっては、渡り糸が筒状編地の外側から見え隠れし、筒状編地の見栄えが損なわれる場合がある。また、特許文献１の編成方法では、編糸の素材や太さによって、筒状ベース部における渡り糸がタックされた部分が変形し、筒状編地の見栄えが損なわれる場合がある。
【０００６】
本発明は、上記事情に鑑みてなされたものであり、その目的は、編糸の種類によって筒状編地の見栄えが損なわれることがないストライプ柄の筒状編地の編成方法を提供することにある。
【課題を解決するための手段】
【０００７】
本発明は、少なくとも前後一対の針床を備え、前後の針床間で編目の目移しが可能な横編機を用いて、色の異なる複数の筒状ベース部がウエール方向に並ぶことでストライプ柄が形成される筒状編地を裏返しの状態で編成するストライプ柄の筒状編地の編成方法に係る。この本発明のストライプ柄の筒状編地の編成方法では、各筒状ベース部を編成する際、筒状ベース部の一面側を構成する一側編目列を編成すると共に、その一側編目列の編幅方向の外側の位置に第一余剰編目列を編成する工程αと、筒状ベース部の他面側を構成する他側編目列を編成すると共に、その他側編目列の編幅方向の外側の位置に第二余剰編目列を編成する工程βと、を交互に繰り返す。そしてそのストライプ柄の筒状編地の編成方法では、その繰り返しの際、一側編目列と第一余剰編目列とを繋ぐ編糸と、他側編目列と第二余剰編目列とを繋ぐ編糸と、を交差させることで、一側編目列と他側編目列とを筒状に繋ぐと共に、筒状ベース部の編幅方向の外側に第一余剰編目列と第二余剰編目列とで構成される余剰編地部を編成する。
【０００８】
本発明のストライプ柄の筒状編地の編成方法として、余剰編地部を袋編みによって編成する形態を挙げることができる。
【０００９】
本発明のストライプ柄の筒状編地の編成方法として、ウエール方向の離れた位置にある二つの筒状ベース部のうち、ウエール方向の下方にあるものを下方ベース部、上方にあるものを上方ベース部とし、これら下方ベース部と上方ベース部との間にある筒状ベース部を中間ベース部としたとき、下方ベース部と上方ベース部とを共通の編糸で編成する形態を挙げることができる。この場合、下方ベース部の編幅方向の外側に形成される余剰編地部と上方ベース部の編幅方向の外側に形成される余剰編地部とを繋ぐ渡り糸を、中間ベース部の編幅方向の外側に形成される余剰編地部に編成によって接続する。
【発明の効果】
【００１０】
本発明のストライプ柄の筒状編地の編成方法によれば、編糸の種類によって筒状編地の見栄えが損なわれることを回避することができる。本発明の編成方法で編成された筒状編地は、編成後に裏返してから使用される。そのとき、筒状ベース部の外側に形成される余剰編地部は、筒状編地の内部に配置され筒状編地の外側から見えない状態になる。なお、筒状ベース部を構成する一側編目列と他側編目列との接続は、編糸の交差によって行われるため、両編目列の繋ぎ目が目立つこともない。
【００１１】
また、共通の編糸を用いてウエール方向の離れた位置にある二つの筒状ベース部を編成する場合、両筒状ベース部間を渡る渡り糸が形成されるが、本発明の編成方法によれば、その渡り糸を目立たなくすることができる。本発明の編成方法では、両筒状ベース部間を渡る渡り糸は、筒状ベース部の外側に配置される余剰編地部の更に外側に配置される。つまり、渡り糸は筒状ベース部から離隔した位置にあるため、筒状編地を裏返して使用したときに、筒状編地の外側から渡り糸が殆ど見えない状態になる。
【００１２】
余剰編地部を袋編みによって編成する編成方法によれば、余剰編地部が袋状組織となり、余剰編地部がカールすることがない。余剰編地部がカールすると余剰編地部に繋がる筒状ベース部が変形する恐れがあるが、袋状組織の余剰編地部はカールすることがないので、筒状ベース部の変形を抑制することができる。
【００１３】
筒状編地のウエール方向に渡る渡り糸を余剰編地部に編成によって接続する本発明の編成方法によれば、渡り糸を固定することができる。編成時に筒状編地の外側に配置される渡り糸は使用時の筒状編地の内側に配置されるが、渡り糸が余剰編地部に固定されていれば、渡り糸が筒状編地に物や手などを挿入する妨げとなることを回避することができる。
【図面の簡単な説明】
【００１４】
【図１】実施形態で編成するストライプ柄の筒状編地の写真を示す概略図である。
【図２】ストライプ柄の筒状編地の編成手順を模式的に説明する編成イメージ図である。
【図３】ストライプ柄の筒状編地の編成工程図の一例を示す図である。
【発明を実施するための形態】
【００１５】
以下の実施形態では、左右方向に延び、かつ、前後方向に互いに対向する前針床（以下、ＦＢ）と後針床（以下、ＢＢ）、および編糸を給糸する給糸口を備え、ＢＢが左右にラッキング可能で、かつ編目の目移しを行うことができる２枚ベッド横編機を用いた編成例を説明する。もちろん、使用する横編機は、２枚ベッド横編機に限定されるわけではなく、例えば４枚ベッド横編機であっても構わない。
【００１６】
＜実施形態１＞
≪全体構成≫
図１の横縞のストライプ柄の筒状編地１は、色の異なる複数の筒状ベース部がウエール方向に並ぶことで形成されている。この筒状編地１には、ウエール方向に１段分しかない筒状ベース部も形成されており、従来にはないデザインのストライプ柄となっている。図１のストライプ柄の筒状編地１がこのような従来にないデザインのストライプ柄の筒状編地１となっているのは、筒状編地１を裏返しの状態で編成し、かつその編成の際に筒状ベース部の編幅方向の外側に余剰編地部を形成するからである。以下、図１のストライプ柄の筒状編地１の編成方法を詳細に説明する。
【００１７】
≪編成の概略≫
図２に示す編成イメージ図には、図１のストライプ柄の筒状編地１を裏返した状態が示されている（以降、裏返した状態の筒状編地１には符号『１Ｒ』を付す）。つまり、図１の筒状編地１は、使用時に筒の外側となる面（図１で見えている面）を、筒の内側に向けた裏返しの状態で編成を行う。なお、説明の便宜上、図２の筒状編地１Ｒに備わる筒状ベース部２の数は、図１よりも少なくしている。
【００１８】
筒状編地１Ｒは、ウエール方向に並ぶ複数の筒状ベース部２と、各筒状ベース部２の編幅方向の外側（左端および右端）に形成される複数の余剰編地部３と、を備える。この図２では、ウエール方向の下端（紙面下側）の筒状ベース部２（下方ベース部２ｄ）と、ウエール方向の上端の筒状ベース部２（上方ベース部２ｕ）と、は共通の編糸で編成され、両ベース部２ｄ，２ｕ間にはその共通の編糸からなる渡り糸４で繋がっている。また、下方ベース部２ｄと上方ベース部２ｕとの間に配置される筒状ベース部２（中間ベース部２ｍ）は、ベース部２ｄ，２ｕとは異なる編糸で編成される。各ベース部２ｄ，２ｍ，２ｕの編幅方向の外側に形成される余剰編地部３ｄ，３ｍ，３ｕは、各ベース部２ｄ，２ｍ，２ｕと繋がっている。渡り糸４の中間部分は、余剰編地部３ｍに編成によって接続されている（図中の黒丸で示す部分を参照）。なお、下方ベース部２ｄと上方ベース部２ｕとの間に複数の中間ベース部２ｍが形成されていても良い。
【００１９】
上記筒状編地１Ｒを編成するには、下方ベース部２ｄと余剰編地部３ｄとを並行して編成する。両者２ｄ，３ｄの編成が終了したら、その編成に使用した給糸口を余剰編地部３の外側（紙面左側）に待機させ、上記給糸口とは別の給糸口を用いて中間ベース部２ｍと余剰編地部３ｍを並行して編成する。その際、待機させていた給糸口を用いて、余剰編地部３ｍの編目にタックやニットを行うことで、渡り糸４を余剰編地部３ｍに接続する。この渡り糸４の接続は、余剰編地部３ｄから余剰編地部３ｕまでの渡り糸４の長さに応じて複数個所で行っても良い。接続箇所間の糸長を短くすることで、図１の筒状編地１に手を入れたときに手に渡り糸４が引っ掛かり難くなる。中間ベース部２ｍと余剰編地部３ｍの糸入れと糸出しは、公知の技術を利用して行うと良い。
【００２０】
中間ベース部２ｍと余剰編地部３ｍの編成が終了したら、待機させていた給糸口を用いて上方ベース部２ｕと余剰編地部３ｕを並行して編成し、両者２ｕ，３ｕを完成させる。
【００２１】
上記手順に従って筒状編地１Ｒを完成させたら、筒状編地１Ｒを裏返すことで、図１に示すストライプ柄の筒状編地１を得ることができる。図２の筒状編地１Ｒを裏返したとき、余剰編地部３ｄ，３ｍ，３ｕは、図１に示すように筒状編地１の内側に配置され、筒状編地１の外側から見えない状態になる。また、図２に示す渡り糸４や、糸入れと糸出しを行った際の編糸の余端も、図１の筒状編地１の内側に配置され、筒状編地１の外側から見えない状態になっている。
【００２２】
≪具体的な編成方法≫
次に、図３の編成工程図を参照して、各筒状ベース部２と余剰編地部３をどのように編成するかを説明する。図３の左欄の「アルファベット＋数字」は編成工程の番号を示し、右欄は針床における編成状態が示されている。図中の大文字アルファベットは編針の位置を、矢印は目移しの方向を、三角印は給糸口８を示す。各工程で実際に行なわれる操作は太線で示す。
【００２３】
Ｓ０には、筒状ベース部２とその両端の余剰編地部３とがＦＢとＢＢに係止された状態が示されている。筒状ベース部２は、筒状ベース部２の一面側を構成する一側編目列２０と、筒状ベース部２の他面側を構成する他側編目列２１と、で構成される。一側編目列２０はＢＢの編針Ｉ，Ｋ，Ｍ，Ｏ，Ｑ，Ｓに係止され、他側編目列２１はＦＢの編針Ｈ，Ｊ，Ｌ，Ｎ，Ｐ，Ｒに係止されている。また、余剰編地部３は、第一余剰編目列３０と第二余剰編目列３１とで構成される。左側の第一余剰編目列３０はＦＢの編針Ｂ，Ｄ，Ｆに、右側の第一余剰編目列３０はＦＢの編針Ｔ，Ｖ，Ｘに係止されており、左側の第二余剰編目列３１はＢＢの編針Ｃ，Ｅ，Ｇに、右側の第二余剰編目列３１はＢＢの編針Ｕ，Ｗ，Ｙに係止されている。
【００２４】
Ｓ１では、まず一側編目列２０をＢＢからＦＢの空針に目移しする。そして、給糸口８を右方向に移動させ、左側の第一余剰編目列３０、一側編目列２０、右側の第一余剰編目列３０の順に編成する（本発明の工程αに相当）。
【００２５】
ここで、一側編目列２０をＢＢからＦＢに目移ししたのは、一側編目列２０の編目を筒状ベース部２の外側から見たときに裏目とするためである。そうすることで、図２に示す編成後の筒状編地１Ｒを裏返したときに、筒状編地１の外側から見た筒状ベース部２の編目が表目となる。
【００２６】
Ｓ２では、まずＳ１で編成した一側編目列２０をＦＢからＢＢの空針に目移しすると共に、他側編目列２１をＦＢからＢＢの空針に目移しする。そして、給糸口８を左方向に移動させ、右側の第二余剰編目列３１、他側編目列２１、左側の第二余剰編目列３１の順に編成する（本発明の工程βに相当）。このとき、Ｓ１において編成した一側編目列２０と第一余剰編目列３０とを繋ぐ編糸に、他側編目列２１と第二余剰編目列３１とを繋ぐ編糸が交差する。なお、他側編目列２１をＦＢからＢＢに目移しした理由は、他側編目列２１を筒状ベース部２の外側から見たときに裏目とするためである。
【００２７】
Ｓ３では、まずＳ２で編成した他側編目列２１をＢＢからＦＢの空針に移動させると共に、一側編目列２０をＢＢからＦＢの空針に移動させる。そして、給糸口８を右方向に移動させ、左側の第一余剰編目列３０、一側編目列２０、右側の第一余剰編目列３０の順に編成する（本発明の工程αに相当）。このとき、Ｓ２における編糸の交差が確定し、Ｓ１で編成した一側編目列２０と、Ｓ２で編成した他側編目列２１と、が筒状に繋がる。Ｓ３以降は、Ｓ２，Ｓ３の編成を繰り返し、筒状ベース部２を完成させると良い。
【００２８】
以降説明した編成工程に従えば、簡単な目移しと給糸口８の往復によって、図２に示す筒状編地１Ｒを効率的に編成することができる。また、上記編成工程では、余剰編地部３が袋状に編成され、余剰編地部３を構成する第一余剰編目列３０と第二余剰編目列３１とが互いに対向するように配置されるため、余剰編地部３がカールすることがない。そのため、余剰編地部３と筒状ベース部２との境界部で編目が変形するなどの問題が生じ難い。さらに、筒状ベース部２を構成する一側編目列２０と他側編目列２１とが編糸の交差によって綴じられているため、両編目列２０，２１の境界が目立ち難く、段差も形成されない。
【００２９】
≪その他の構成１≫
余剰編地部３は、ゴム編地や天竺編地として編成することもできる。例えば、余剰編地部３をゴム編地とする場合、例えば図３のＦＢの編針ＦとＢＢの編針ＤとＦＢの編針Ｂとを用いて左側の第一余剰編目列３０を編成し、ＢＢの編針ＧとＦＢの編針ＥとＢＢの編針Ｃとを用いて左側の第二余剰編目列３１を編成する。また、余剰編地部３を天竺編地とする場合、例えば図３のＦＢの編針ＦとＢＢの編針Ｄ，Ｂとを用いて第一余剰編目列３０を編成し、ＢＢの編針Ｇ，Ｄ，Ｂを用いて第二余剰編目列３１を編成する。その他、第一余剰編地部３１をＦＢの編針ＦとＢＢの編針Ｄ，Ｂとに編成し、第二余剰編目列３１をＢＢの編針Ｇ，Ｅ，Ｃに編成して、厚みのある余剰編地部３とすることもできる。いずれにせよ、筒状ベース部２と余剰編地部３との境界部で編糸を交差させ、筒状ベース部２を構成する一側編目列２０と他側編目列２１と、を筒状に繋げる必要がある。
【００３０】
≪その他の構成２≫
図３に示す編成工程図では、筒状ベース部２を筒の外側から見たときに裏目となるように編成した。これに対して、図３の筒状ベース部２を筒の外側から見たときに表目となるように編成しても良い。その場合、Ｓ０に示す状態で一側編目列２０と他側編目列２１とを目移しすることなく両編目列２０，２１を編成すれば良い。このような編成を行って筒状編地１Ｒを編成し、その筒状編地１Ｒを裏返した場合、筒状編地１は筒の外側から見たときに裏目からなる筒状編地１となる。なお、筒状ベース部２を筒の外側から見たときに表目と裏目が混在する編組織とすることも可能である。
【００３１】
≪その他の構成３≫
余剰編地部３は、筒状ベース部２の編幅方向の一端側にのみ設けられていても良い。その場合、筒状ベース部２の編幅方向の他端側は、Ｃ字状編成によって接続しても良いし、引き返し編成によって開口させても良い。
【符号の説明】
【００３２】
１  筒状編地  １Ｒ  裏返しの状態にある筒状編地
２  筒状ベース部    ２０  一側編目列  ２１  他側編目列
３  余剰編地部    ３０  第一余剰編目列  ３１  第二余剰編目列
４  渡り糸
２ｄ  下方ベース部  ２ｍ  中間ベース部  ２ｕ  上方ベース部
３ｄ，３ｍ，３ｕ  余剰編地部
８  給糸口
ＦＢ  前針床    ＢＢ  後針床
【図２】
2015200034.tif 000003
【図３】
2015200034.tif 000004
【図１】
2015200034.tif 000005